【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のクライアントデバイスが第１の基本サービスセット（ＢＳＳ）識別子（ＢＳＳＩＤ）に関連する第１のＢＳＳのチャネルを独占していることを決定することと、
前記決定に基づいて、仮想ＡＰを備える第２のＢＳＳを動的に作り出すことと、ここにおいて、前記第２のＢＳＳは前記第１のＢＳＳに関してスロットル調整される、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を備える、方法。
【請求項２】
前記第１のクライアントデバイスが前記第１のＢＳＳの前記チャネルを独占していることを決定することが、
前記第１のＢＳＳに接続された第２のクライアントデバイスのパフォーマンス低下を決定すること
を備える、請求項１に記載の方法。
【請求項３】
前記第１のＢＳＳに接続された前記第２のクライアントデバイスの前記パフォーマンス低下を決定することが、
前記第１のクライアントデバイスによる前記チャネルのエアタイム使用量を決定すること
を備える、請求項２に記載の方法。
【請求項４】
前記第１のクライアントデバイスについてのＥＤＣＡ（enhanced distributed channel access）据え置き期間を増加させること
をさらに備える、請求項１に記載の方法。
【請求項５】
前記第１のクライアントデバイスについての送信機会（ＴＸＯＰ）制限を減少させること
をさらに備える、請求項１に記載の方法。
【請求項６】
前記第１のクライアントデバイスへの送信可（ＣＴＳ）メッセージの送信を選択的に差し控えること
をさらに備える、請求項１に記載の方法。
【請求項７】
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に基づく、
送信可（ＣＴＳ）メッセージを前記第１のクライアントデバイスに送信することと、前記ＣＴＳメッセージが、前記選択された持続時間フィールド値を備える、
をさらに備える、請求項１に記載の方法。
【請求項８】
前記第１のクライアントデバイスについてのアップリンクＡ−ＭＰＤＵ（Aggregate MAC Protocol Data Unit）ポリシーを修正すること
をさらに備える、請求項１に記載の方法。
【請求項９】
前記第１のクライアントデバイスを前記第２のＢＳＳにステアリングした後に、前記第１のクライアントデバイスが前記第１のＢＳＳに再関連付けを行うことを防ぐこと
をさらに備える、請求項１に記載の方法。
【請求項１０】
媒体アクセス制御（ＭＡＣ）プロトロルレイヤより上位のプロトロルレイヤにおいて、前記第１のクライアントデバイスからのアップリンクパケットをドロップすること
をさらに備える、請求項１に記載の方法。
【請求項１１】
前記第１のクライアントデバイスが前記第１のＢＳＳの前記チャネルを独占していることを決定することが、
前記第１のクライアントデバイスが前記第１のＢＳＳに関連するアップリンクチャネルに過負荷をかけていることを決定すること
を備える、請求項１に記載の方法。
【請求項１２】
前記第１のクライアントデバイスをステアリングすることが、
分離メッセージ、認証解除メッセージ、またはＢＳＳ遷移管理フレームを前記第１のクライアントデバイスに送信すること
を備える、請求項１に記載の方法。
【請求項１３】
前記第１のクライアントデバイスのステータスの変化に基づいて、前記第２のＢＳＳを終了すること
をさらに備える、請求項１に記載の方法。
【請求項１４】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項１３に記載の方法。
【請求項１５】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに基づいて、前記第１のクライアントデバイスを前記第１のＢＳＳにステアリングすること
をさらに備える、請求項１に記載の方法。
【請求項１６】
前記第１のＢＳＳおよび前記第２のＢＳＳのサービスセット識別子（ＳＳＩＤ）およびセキュリティ認証情報が同じである、請求項１に記載の方法。
【請求項１７】
ワイヤレス通信のための装置であって、
第１のクライアントデバイスが第１の基本サービスセット（ＢＳＳ）識別子（ＢＳＳＩＤ）に関連する第１のＢＳＳのチャネルを独占していることを決定するための手段と、
前記決定に基づいて、仮想ＡＰを備える第２のＢＳＳを動的に作り出すための手段と、前記第２のＢＳＳは前記第１のＢＳＳに関してスロットル調整される、
前記第１のクライアントデバイスを、前記第２のＢＳＳにステアリングするための手段と、前記第２のＢＳＳが、前記第１のＢＳＳＩＤとは異なる第２のＢＳＳＩＤに関連する、
を備える、装置。
【請求項１８】
前記第１のクライアントデバイスが前記第１のＢＳＳの前記チャネルを独占していることを決定するための前記手段が、
前記第１のＢＳＳに接続された第２のクライアントデバイスのパフォーマンス低下を決定するための手段
を備える、請求項１７に記載の装置。
【請求項１９】
前記第１のＢＳＳに接続された前記第２のクライアントデバイスの前記パフォーマンス低下を決定するための前記手段が、
前記第１のクライアントデバイスによる前記チャネルのエアタイム使用量を決定するための手段
を備える、請求項１８に記載の装置。
【請求項２０】
前記第１のクライアントデバイスについてのＥＤＣＡ（enhanced distributed channel access）据え置き期間を増加させるための手段
をさらに備える、請求項１７に記載の装置。
【請求項２１】
前記第１のクライアントデバイスについての送信機会（ＴＸＯＰ）制限を減少させるための手段
をさらに備える、請求項１７に記載の装置。
【請求項２２】
前記第１のクライアントデバイスへの送信可（ＣＴＳ）メッセージの送信を選択的に差し控えるための手段
をさらに備える、請求項１７に記載の装置。
【請求項２３】
前記第１のクライアントデバイスから送信要求（ＲＴＳ）メッセージを受信するための手段と、前記ＲＴＳメッセージが、要求された持続時間値を備える、
前記要求された持続時間値より小さい持続時間フィールド値を選択するための手段と、前記選択することが、前記決定に基づく、
送信可（ＣＴＳ）メッセージを前記第１のクライアントデバイスに送信するための手段と、前記ＣＴＳメッセージが、前記選択された持続時間フィールド値を備える、
をさらに備える、請求項１７に記載の装置。
【請求項２４】
前記第１のクライアントデバイスについてのアップリンクＡ−ＭＰＤＵ（Aggregate MAC Protocol Data Unit）ポリシーを修正するための手段
をさらに備える、請求項１７に記載の装置。
【請求項２５】
前記第１のクライアントデバイスを前記第２のＢＳＳにステアリングした後に、前記第１のクライアントデバイスが前記第１のＢＳＳに再関連付けを行うことを防ぐための手段
をさらに備える、請求項１７に記載の装置。
【請求項２６】
媒体アクセス制御（ＭＡＣ）プロトロルレイヤより上位のプロトロルレイヤにおいて、前記第１のクライアントデバイスからのアップリンクパケットをドロップするための手段
をさらに備える、請求項１７に記載の装置。
【請求項２７】
前記第１のクライアントデバイスが前記第１のＢＳＳの前記チャネルを独占していることを決定するための前記手段が、
前記第１のクライアントデバイスが前記第１のＢＳＳに関連するアップリンクチャネルに過負荷をかけていることを決定するための手段
を備える、請求項１７に記載の装置。
【請求項２８】
前記第１のクライアントデバイスをステアリングするための前記手段が、
分離メッセージ、認証解除メッセージ、またはＢＳＳ遷移管理フレームを前記第１のクライアントデバイスに送信するための手段
を備える、請求項１７に記載の装置。
【請求項２９】
前記第１のクライアントデバイスのステータスの変化に基づいて、前記第２のＢＳＳを終了するための手段
をさらに備える、請求項１７に記載の装置。
【請求項３０】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項２９に記載の装置。
【請求項３１】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに基づいて、前記第１のクライアントデバイスを前記第１のＢＳＳにステアリングするための手段
をさらに備える、請求項１７に記載の装置。
【請求項３２】
前記第１のＢＳＳおよび前記第２のＢＳＳのサービスセット識別子（ＳＳＩＤ）およびセキュリティ認証情報が同じである、請求項１７に記載の装置。
【請求項３３】
システムにおける、ワイヤレス通信のための装置であって、
プロセッサと、
前記プロセッサと電子通信しているメモリと、
前記メモリに記憶される命令と、
を備え、前記命令は、前記プロセッサによって実行されると、前記装置に、
第１のクライアントデバイスが第１の基本サービスセット（ＢＳＳ）識別子（ＢＳＳＩＤ）に関連する第１のＢＳＳのチャネルを独占していることを決定することと、
前記決定に基づいて、仮想ＡＰを備える第２のＢＳＳを動的に作り出すことと、ここにおいて、前記第２のＢＳＳは前記第１のＢＳＳに関してスロットル調整される、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を行わせるように動作可能である、装置。
【請求項３４】
前記命令は、前記プロセッサによって、
前記第１のＢＳＳに接続された第２のクライアントデバイスのパフォーマンス低下を決定すること
を行うようにさらに実行可能である、請求項３３に記載の装置。
【請求項３５】
前記命令は、前記プロセッサによって、
前記第１のクライアントデバイスによる前記チャネルのエアタイム使用量を決定すること
を行うようにさらに実行可能である、請求項３４に記載の装置。
【請求項３６】
前記命令は、前記プロセッサによって、
前記第１のクライアントデバイスについてのＥＤＣＡ（enhanced distributed channel access）据え置き期間を増加させること
を行うようにさらに実行可能である、請求項３３に記載の装置。
【請求項３７】
前記命令は、前記プロセッサによって、
前記第１のクライアントデバイスについての送信機会（ＴＸＯＰ）制限を減少させること
を行うようにさらに実行可能である、請求項３３に記載の装置。
【請求項３８】
前記命令は、前記プロセッサによって、
前記第１のクライアントデバイスへの送信可（ＣＴＳ）メッセージの送信を選択的に差し控えること
を行うようにさらに実行可能である、請求項３３に記載の装置。
【請求項３９】
前記命令は、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項３３に記載の装置。
【請求項４０】
前記命令は、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項３３に記載の装置。
【請求項４１】
前記命令は、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項３３に記載の装置。
【請求項４２】
前記命令は、前記プロセッサによって、
媒体アクセス制御（ＭＡＣ）プロトロルレイヤより上位のプロトロルレイヤにおいて、前記第１のクライアントデバイスからのアップリンクパケットをドロップすること
を行うようにさらに実行可能である、請求項３３に記載の装置。
【請求項４３】
前記命令は、前記プロセッサによって、
前記第１のクライアントデバイスが前記第１のＢＳＳに関連するアップリンクチャネルに過負荷をかけていることを決定すること
を行うようにさらに実行可能である、請求項３３に記載の装置。
【請求項４４】
前記命令は、前記プロセッサによって、
分離メッセージ、認証解除メッセージ、またはＢＳＳ遷移管理フレームを前記第１のクライアントデバイスに送信すること
を行うようにさらに実行可能である、請求項３３に記載の装置。
【請求項４５】
前記命令は、前記プロセッサによって、
前記第１のクライアントデバイスのステータスの変化に基づいて、前記第２のＢＳＳを終了すること
を行うようにさらに実行可能である、請求項３３に記載の装置。
【請求項４６】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項４５に記載の装置。
【請求項４７】
前記命令は、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに基づいて、前記第１のクライアントデバイスを前記第１のＢＳＳにステアリングすること
を行うようにさらに実行可能である、請求項３３に記載の装置。
【請求項４８】
前記第１のＢＳＳおよび前記第２のＢＳＳのサービスセット識別子（ＳＳＩＤ）およびセキュリティ認証情報が同じである、請求項３３に記載の装置。
【請求項４９】
ワイヤレス通信のためのコードを記憶する非一時的なコンピュータ読み取り可能な媒体であって、前記コードは、プロセッサによって、
第１のクライアントデバイスが第１の基本サービスセット（ＢＳＳ）識別子（ＢＳＳＩＤ）に関連する第１のＢＳＳのチャネルを独占していることを決定することと、
前記決定に基づいて、仮想ＡＰを備える第２のＢＳＳを動的に作り出すことと、ここにおいて、前記第２のＢＳＳは前記第１のＢＳＳに関してスロットル調整される、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を行うように実行可能である命令を備える、非一時的なコンピュータ読み取り可能な媒体。
【請求項５０】
前記命令が、前記プロセッサによって、
前記第１のＢＳＳに接続された第２のクライアントデバイスのパフォーマンス低下を決定すること
を行うようにさらに実行可能である、請求項４９に記載の非一時的なコンピュータ読み取り可能な媒体。
【請求項５１】
前記命令が、前記プロセッサによって、
前記第１のクライアントデバイスによる前記チャネルのエアタイム使用量を決定すること
を行うようにさらに実行可能である、請求項５０に記載の非一時的なコンピュータ読み取り可能な媒体。
【請求項５２】
前記命令が、前記プロセッサによって、
前記第１のクライアントデバイスについてのＥＤＣＡ（enhanced distributed channel access）据え置き期間を増加させること
を行うようにさらに実行可能である、請求項４９に記載の非一時的なコンピュータ読み取り可能な媒体。
【請求項５３】
前記命令が、前記プロセッサによって、
前記第１のクライアントデバイスについての送信機会（ＴＸＯＰ）制限を減少させること
を行うようにさらに実行可能である、請求項４９に記載の非一時的なコンピュータ読み取り可能な媒体。
【請求項５４】
前記命令が、前記プロセッサによって、
前記第１のクライアントデバイスへの送信可（ＣＴＳ）メッセージの送信を選択的に差し控えること
を行うようにさらに実行可能である、請求項４９に記載の非一時的なコンピュータ読み取り可能な媒体。
【請求項５５】
前記命令が、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項４９に記載の非一時的なコンピュータ読み取り可能な媒体。
【請求項５６】
前記命令が、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項４９に記載の非一時的なコンピュータ読み取り可能な媒体。
【請求項５７】
前記命令が、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項４９に記載の非一時的なコンピュータ読み取り可能な媒体。
【請求項５８】
前記命令が、前記プロセッサによって、
媒体アクセス制御（ＭＡＣ）プロトロルレイヤより上位のプロトロルレイヤにおいて、前記第１のクライアントデバイスからのアップリンクパケットをドロップすること
を行うようにさらに実行可能である、請求項４９に記載の非一時的なコンピュータ読み取り可能な媒体。
【請求項５９】
前記命令が、前記プロセッサによって、
前記第１のクライアントデバイスが前記第１のＢＳＳに関連するアップリンクチャネルに過負荷をかけていることを決定すること
を行うようにさらに実行可能である、請求項４９に記載の非一時的なコンピュータ読み取り可能な媒体。
【請求項６０】
前記命令が、前記プロセッサによって、
分離メッセージ、認証解除メッセージ、またはＢＳＳ遷移管理フレームを前記第１のクライアントデバイスに送信すること
を行うようにさらに実行可能である、請求項４９に記載の非一時的なコンピュータ読み取り可能な媒体。
【請求項６１】
前記命令が、前記プロセッサによって、
前記第１のクライアントデバイスのステータスの変化に基づいて、前記第２のＢＳＳを終了すること
を行うようにさらに実行可能である、請求項４９に記載の非一時的なコンピュータ読み取り可能な媒体。
【請求項６２】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項６１に記載の非一時的なコンピュータ読み取り可能な媒体。
【請求項６３】
前記命令が、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに基づいて、前記第１のクライアントデバイスを前記第１のＢＳＳにステアリングすること
を行うようにさらに実行可能である、請求項４９に記載の非一時的なコンピュータ読み取り可能な媒体。
【請求項６４】
前記第１のＢＳＳおよび前記第２のＢＳＳのサービスセット識別子（ＳＳＩＤ）およびセキュリティ認証情報が同じである、
請求項４９に記載の非一時的なコンピュータ読み取り可能な媒体。